(57)【要約】      （修正有）【課題】集積包装容器の側壁を利用して、集積包装した個包装体の一部、特に、中心に置かれた個包装体の側壁に形成した広告宣伝したい内容である広告宣伝表示部を目立たせて見せることができ、かつ、ＰＯＰ広告としても機能できる広告宣伝媒体を提供する。【解決手段】本発明は、商品を収納した複数の個包装体１と、該個包装体をまとめて集積するトレー状の集積包装容器２とからなり、複数の個包装体のうち略中央に位置する個包装体の表面の商品情報表示部３を目立たせるための切り欠け部Ｘ１、突起部等の注視手段を、集積包装容器の側壁の個包装体に隣接又は重なる位置に設けたことを特徴とする広告宣伝媒体であり、特に、その個包装体の表面に、該個包装体内に収納された商品と全く無関係な他の商品を広告宣伝する文字、図形、記号、絵柄等からなる広告宣伝表示部が形成されていることを特徴とする。【選択図】図１
2006285062.tif 000002
【特許請求の範囲】
【請求項１】
商品を収納した複数の個包装体と、該個包装体をまとめて集積するトレー状の集積包装容器とからなり、複数の前記個包装体のうち略中央に位置する個包装体の表面の商品情報表示部を目立たせるための注視手段を、前記集積包装容器の側壁の前記個包装体に隣接又は重なる位置に設けたことを特徴とする広告宣伝媒体。
【請求項２】
略中央に位置する前記個包装体の表面に、該個包装体内に収納された商品と全く無関係な他の商品を広告宣伝する文字、図形、記号、絵柄等からなる広告宣伝表示部が形成されていることを特徴とする請求項１に記載の広告宣伝媒体。
【請求項３】
前記注視手段が、凹状の切り欠け部であることを特徴とする請求項１又は２に記載の広告宣伝媒体。
【請求項４】
前記注視手段が、凸状の突起部であることを特徴とする請求項１又は２に記載の広告宣伝媒体。
【請求項５】
前記注視手段が、窓部であることを特徴とする請求項１又は２に記載の広告宣伝媒体。
【発明の詳細な説明】
【技術分野】
【０００１】
本発明は、複数の個包装体と、これらの個包装体を集積する集積包装容器からなる広告宣伝媒体に関し、詳しくは、ＰＯＰ広告機能を有し、集積包装容器の側壁を利用して、商品を購入した人に、個包装体の表面に施したその商品の内容や広告宣伝したい商品を確実に知らせ、その関心を引きつけることができる広告宣伝媒体に関するものである。
【背景技術】
【０００２】
従来、広告宣伝媒体としては、種々のものが開発され、提案されている。例えば、新聞、雑誌等に広告欄を設け、ここに広告宣伝したい商品の商品名、商標名、製造者、販売者、商品説明事項等、商品表示にかかる文字、図形、記号、絵柄等からなる印刷画像表示を形成し、その商品の広告宣伝を行っている。あるいは、商品に関するチラシ、カタログ等を作製し、これを不特定多数の人に配布し、そこに掲載されている商品を広く知らせて、人々の関心を引いて広告宣伝を行う場合もある。さらに、例えば、街頭のネオンサイン等を利用し、主に、視覚を通して商品を広告宣伝する場合、さらには、ラジオ、街頭放送等を利用し、主に、音声を通して商品を広告宣伝する場合、あるいは、テレビ等を利用し、主に、音声と映像等を通して商品を広告宣伝する場合等もある。
【０００３】
しかし、上記のような従来の広告宣伝媒体による広告宣伝は、不特定多数の人に向かって商品を広告宣伝するものであり、通常、一人一人が、それを視覚を通して見たり、また、聴覚をとおして聴いたりしても、広告宣伝する商品について、それ程関心を引くものとなっていない。ましてや、人々は、近年、広告宣伝の氾濫による喧騒等に嫌悪感を持つようになっており、それほどに関心のない商品の宣伝広告は、見たり、聴いたりすることを避け、チラシ、カタログ等に至っては、見ないで、そのまま捨ててしまい、その商品の広告宣伝に振り向かないのが実状である。
【０００４】
そこで、個包装体を１個あるいは複数個まとめて包装する集積包装容器の側壁を利用して、広告宣伝したい商品等について、一人一人が手に持って、集積包装容器の側壁に形成した印刷画像表示媒体を通して、必然的に、確実に見せることできる広告宣伝媒体が提案されている（例えば、特許文献１、２参照。）。
【０００５】
【特許文献１】特開平１０−２６８８１８号公報
【特許文献２】特開２００４−２５２２１５号公報
【発明の開示】
【発明が解決しようとする課題】
【０００６】
しかしながら、上記の特開平１０−２６８８１８号公報「広告宣伝媒体」は、個包装容器（個包装体）の表面に広告宣伝したい商品等の印刷画像表示部を形成したことを特徴し、個包装体事態を単に広告宣伝媒体としたに過ぎないものであり、個包装容器（個包装体）を包装する外包装容器を利用して広告宣伝したい商品等の印刷画像表示部を形成した広告宣伝媒体とはなっていない。また、特開２００４−２５２２１５号公報は、その逆に外包装容器の表面に直接に広告宣伝したい商品等の印刷画像表示部を形成したことを特徴とする広告宣伝媒体であり、個包装容器（個包装体）を包装する外包装容器と連動して、商品陳列効果を上げるＰＯＰ広告として機能して広告宣伝したい商品等の印刷画像表示部を形成した広告宣伝媒体とはなっていない。
【０００７】
そこで本発明は、商品を収納した個包装体と複数の個包装体を集積する集積包装容器とからなり、集積包装容器の側壁を利用して、個包装体の一部、特に、中心に置かれた個包装体の側壁に形成した広告宣伝したい内容である広告宣伝表示部を目立たせて見せることができ、かつ、ＰＯＰ広告としても機能できる広告宣伝媒体を提供することである。
【課題を解決するための手段】
【０００８】
上記のような課題を解決すべく本発明は、商品を収納した複数の個包装体と、該個包装体をまとめて集積するトレー状の集積包装容器とからなり、複数の前記個包装体のうち略中央に位置する個包装体の表面の商品情報表示部を目立たせるための注視手段を、前記集積包装容器の側壁の前記個包装体に隣接又は重なる位置に設けたことを特徴とする広告宣伝媒体であり、略中央に位置する前記個包装体の表面に、該個包装体内に収納された商品と全く無関係な他の商品を広告宣伝する文字、図形、記号、絵柄等からなる広告宣伝表示部が形成されていることを特徴とする。また、前記注視手段が、凹状の切り欠け部であること、凸状の突起部であること、そして、窓部であることを特徴とするものである。
【発明の効果】
【０００９】
本発明の広告宣伝媒体によれば、商品を収納した複数の個包装体をまとめて集積する集積包装容器において、集積包装容器の側壁の一部に注視手段を設けることにより、複数個の個包装体の略中央部の個包装体に施した商品を表示する文字、図形、記号、絵柄等からなる商品情報表示部を目立たせることができ、特に、他の商品の広告宣伝等からなる広告宣伝表示部を目立たせることができ、これによって、極めてその商品の広告宣伝機能の高く、ＰＯＰ広告としても機能する広告宣伝媒体とすることができるものである。
【発明を実施するための最良の形態】
【００１０】
以下に、図面を参照にしながら、本発明の広告宣伝媒体の実施の形態についてさらに詳しく説明する。図１は、本発明にかかる広告宣伝媒体の形態の一実施例を示す斜視図であり、図２は、本発明にかかる広告宣伝媒体を構成する個包装体の一実施例を示す斜視図であり、図３は、本発明にかかる広告宣伝媒体を構成する集積包装容器の一実施例を示す斜視図であり、図４は、本発明にかかる集積包装容器の別の形状例を示す斜視図であり、そして、図５は、従来の広告宣伝媒の形態の一実施例を示す斜視図である。
【００１１】
本発明の広告宣伝媒体Ａは、図１に示すように、中に商品を収納した個包装体１と複数の個包装体１（本実施例では３個）まとめて一つに集積する集積包装容器２とからなっている。個包装体１には、商品を表示する文字、図形、記号、絵柄等からなる商品情報表示部３を形成している。そして、複数の個包装体１のうち、中央部に位置する個包装体１Ａには、表側Ｐの外面に、図２（ａ）に示すように、その商品を表示する事項（例えば、商品の商標名ａ、商品を表す絵柄ｂ、商品の品名、中身、内容量、製造者、および販売者等を表す欄ｃ、商品の使用法、保存法等の所定の表示事項（図示してない）等、商品を表す文字、図形、記号、絵柄等）からなる商品情報表示部３を形成し、さらに、その商品情報表示部３以外の領域、例えば、個包装体１の裏側Ｑの外面に、図２（ｂ）に示すように、個包装体１内に収納されている商品と全く無関係である他の商品を広告宣伝する事項（例えば、他の商品の商品名ｘ、他の商品を表す絵柄ｙ、他の商品の性能、製造者、販売者等の他の商品を表示する欄ｚ、他の商品の使用法、修理法、発表・販売時期等の所定の事項（図示してない）等、他の商品を表す文字、図形、記号、絵柄等）からなる広告宣伝表示部４を形成している。本発明の広告宣伝媒体Ａの主たる構成要件は、複数個の個包装体１の中心部の個包装体１Ａに施したの他の商品の広告宣伝等からなる広告宣伝表示部４を目立たせるために、集積包装容器２の開口部端辺の一部に注視手段Ｘを設けていることであり、本例ではその注視手段Ｘとして切り欠け部Ｘ１を設けている。
【００１２】
上記の例示は、本発明にかかる広告宣伝媒体についてその一例を例示したものであり、これによって本発明は限定されるものではない。その形態は、内容物である商品の形態により、種々の形態のものを取り得るものである。本発明の広告宣伝媒体１においては、その集積包装容器２に収納された個包装体１を購入しようとする、あるいは、購入した一人一人は、その集積包装容器２に設けられた注視手段Ｘにより、個包装体１の中の外面に施されている充填包装されている商品に関する商品情報表示部３よりも他の商品に関する広告宣伝表示部４に目を向けられ、これによって、極めて高い広告宣伝機能を発揮することができるものである。
【００１３】
つぎに、本発明にかかる広告宣伝媒体を構成する個包装体１と集積包装容器２の材料、製造方法等を説明する。
まず、個包装体１とは、直方体、立方体で２個以上重ねたり、並べたりすると外観上において、積み重さねが出来る包装形態であり、その並列したディスプレー効果を重視する製品で汎用に使用され、また、容器間の隙間が少ない為、梱包、保管が容易である利点がある。個包装体を構成する基材としては、賦型性、耐屈曲性、剛性等を持たせるものであり、紙製容器、プラスチック製成形容器、金属容器、ガラス製容器その複合品でも構わない。
【００１４】
紙製容器の場合、例えば、強サイズ性の晒または未晒の紙基材、あるいは純白ロール紙、クラフト紙、板紙、加工紙等の紙基材、その他等を使用することができる。上記において、紙基材としては、坪量が８０〜６００ｇ／ｍ2の範囲もの、好ましくは、坪量が１００〜４５０ｇ／ｍ2の範囲ものを使用することが望ましい。勿論、本発明においては、紙基材と各種の樹脂のフィルムないしシート等を併用して使用することもできる。
【００１５】
つぎに、上記のような材料を使用して紙製容器を製造する方法としては、紙基材に他の材料を積層した積層材を製造し、これから所望の紙製容器を製造するブランク板を製造し、そのブランク板を使用して胴部、底部、頭部等を製函する。その形状は、角形容器、丸形等の円筒状の紙缶等のいずれのものでも製造することができる。また、飲料用の場合、例えば、ブリックタイプ、フラットタイプあるいはゲーベルトップタイプの紙製容器を製造することができる。
【００１６】
この紙製容器を製函する場合、通常所定のブランク加工し、上下、横部で通常のポリウレタン系、ポリアクリル系、ポリエステル系、エポキシ系、ポリ酢酸ビニル系、セルロース系、その他等の貼り合せ用の接着剤により貼り合せを行なう。
【００１７】
プラスチック製成形容器の場合には、例えば、ポリエチレン系樹脂、ポリプロピレン系樹脂、エチレン−プロピレン共重合体、ポリ塩化ビニル系樹脂、ポリアクリルニトリル系樹脂、ポリスチレン系樹脂、ポリカーボネート系樹脂、アクリロニトリル−スチレン共重合体（ＡＳ系樹脂）、アクリロニトリル−ブタジェン−スチレン共重合体（ＡＢＳ系樹脂）、ポリエステル系樹脂、ポリアミド系樹脂等の公知の成形用樹脂を使用し、例えば、射出成形法、押し出し成形法、真空圧空成形等の熱成形法、ブロー成形法等の公知の成形法を利用して、種々のプラスチック製成形容器を製造することができる。
【００１８】
本発明においては、上記のような基材に、原反、材料の状態において、予め、例えば、文字、図形、記号、絵柄、模様等の所望の印刷絵柄を通常の印刷法、例えば、オフセット印刷、グラビア印刷、凸版印刷、シルクスクリ−ン印刷、転写印刷、その他等によって表刷り印刷、あるいは裏刷り印刷等を行うことにより、個包装体１内に充填包装した商品を表示する商品名、商標名、製造者、販売者、商品説明事項等の商品を表示する文字、図形、記号、絵柄等からなる商品情報表示部３を形成すると共に、該商品情報表示部３以外の領域に、該個包装体１内に充填包装された商品と全く無関係の他の商品を広告宣伝する文字、図形、記号、絵柄等からなる広告宣伝表示部４を形成することができるものである。なお、本発明においては、上記のような広告宣伝表示部４を形成するに際しては、広告宣伝表示部４を構成する文字、図形、記号、絵柄等を、通常の印刷インキを使用して形成する代わりに、例えば、蛍光性インキ、示温性インキ等を使用して広告宣伝表示部４を形成することもでき、さらに、その広告宣伝表示部４の構造を凹凸画像等にすることもでき、さらにまた、ホログラフィー等を使用して広告宣伝表示部４を形成してもよく、また、印刷インキの色数を増やして広告宣伝表示部４を形成することもできる。上記のような広告宣伝表示部４を形成することにより、その機能性、広告宣伝効果等を更に高めることが可能となるものである。
【００１９】
つぎに、本発明の広告宣伝媒体Ａにおける集積包装容器２には、紙基材、プラスチック基材、金属缶等の金属製容器、ガラス瓶等のガラス製容器等を使用することができる。また、これら材料が２種類以上複合的に使用しても良い。
【００２０】
この集積包装容器２の形状は、底面２１と側壁２２とからなり、上部に開口部を有するトレー形状であるが、側壁２２は直角に立ち上がる形状が、集積した個包装体１の表面との間に隙間がなく、注視手段Ｘとしての効果を上げるために好ましい。そして、側壁２２には、個包装体１の広告宣伝する広告宣伝表示部４を強調し、目立たせる注視手段を設けている。そして、この注視手段Ｘを集積包装容器２の側壁２２に設ける位置としては、集積した複数の個包装体１の中で特にその商品を表示する事項ではなく他の商品を宣伝広告する事項等からなる広告宣伝表示部４を形成している個包装体１Ａを効果的に目立たせ、強調することを目的とし、この個包装体１Ａに隣接する位置としている。
【００２１】
また、注視手段Ｘの形状としては、本例のような凹状の切り欠け部Ｘ１を設けた形状以外にも、図４（ａ）に示すように、凸状の突起部Ｘ２を設けた形状等があり、変形例として種々の形状とすることができる。
【００２２】
例えば、図４（ｂ）に示すように、凹状の切り欠け部Ｘ１あるいは凸状の突起部Ｘ２をジグザグとした形状、図４（ｃ）に示すように、凹状の切り欠け部Ｘ１あるいは凸状の突起部Ｘ２において、矢印を設けた形状、そして、図４（ｄ）に示すように、窓部Ｘ３を設けた形状とすることができる。
【００２３】
集積包装容器３がトレー状紙箱の場合には、板紙を主に使用し、この板紙を材料として所望のトレー状紙箱を製造するブランク板を作製し、製函して、折り畳まれた状態のトレー状紙箱を製造する。この折り畳まれたトレー状紙箱を起こして組み立てて、中に複数の紙製容器を収納して密封して集積包装容器２であるトレー状紙箱を製造することができる。また、その形状は、本実施例ではオートボトム型としているが、特に限定されるものではなく、他のボトム式カートン、キャリーカートン、マルチパックカートン、スリーブ、ホールダー等とすることができる。
【００２４】
この紙箱に使用する板紙は、賦型性、耐屈曲性、剛性等を持たせるものであり、白板紙、マニラボール、高級板紙、段ボール等を使用することができる。上記において、板紙としては、坪量８０〜１０００ｇ／ｍ2の範囲のもの、好ましくは、坪量２５０〜６００ｇ／ｍ2の範囲のものを使用することが望ましい。勿論、板紙を基材層として、上記に挙げた各種の樹脂のフィルムないしシート等を貼り合わせた積層体として使用することができる。
【００２５】
つぎに、集積包装容器２が、プラスチック製成形容器の場合には、例えば、ポリエチレン系樹脂、ポリプロピレン系樹脂、エチレン−プロピレン共重合体、ポリ塩化ビニル系樹脂、ポリアクリルニトリル系樹脂、ポリスチレン系樹脂、ポリカーボネート系樹脂、アクリロニトリル−スチレン共重合体（ＡＳ系樹脂）、アクリロニトリル−ブタジェン−スチレン共重合体（ＡＢＳ系樹脂）、ポリエステル系樹脂、ポリアミド系樹脂等の公知の成形用樹脂を使用し、例えば、射出成形法、押し出し成形法、真空圧空成形等の熱成形法、ブロー成形法等の公知の成形法を利用して、種々のプラスチック製成形容器を製造することができる。
【実施例】
【００２６】
つぎに、上記の本発明の広告宣伝媒体について、個包装体の一例としてシリアル食品用紙製容器をあげて、以下に更に詳しく本発明を説明する。
【００２７】
まず、個包装体を作製した。図２（ａ）、（ｂ）に示す通り、坪量３００ｇ／ｍ2の紙の表面に、シリアル食品の商品名、商品を表す絵柄、その品名、原材料名、内容量、賞味期限、製造者、あるいは販売者等の商品内容を表示する商品情報表示部３をグラビア印刷方式で印刷し、併せて、更に、上記の商品を表示する商品情報表示部３以外の領域に、該商品と全く関係のない新作映画の宣伝を表示する広告宣伝表示部４の文字、絵柄等を表刷り印刷した。この印刷ブランクを使用して、その端部を重ね合わせてその重合縁部を接着剤で固着してシリアル食品用紙容器形成用の角形胴部を製造し、そして、角形胴部の両方の開口部を折り込み同じく接着剤で固着して上下底部を形成してシリアル食品用紙容器を製函した。上記のシリアル食品用紙容器は、その表面に内容物である商品の商品情報表示部３があり、また、その裏面には、該商品と全く関係のない新作映画の宣伝を広告宣伝する広告宣伝表示部４を表示した。
【００２８】
このシリアル食品商品を３個まとめて包装する商品陳列形態を取り、その中心の個包装体１を図１に示す通り、外面の片側に、この商品と関係ない新作映画の広告宣伝されている広告宣伝表示部４を配設した。集積包装容器２は、図１に示す通りその中心の製品の外面全面を底面まで開示した形とし、透明なプラスチックフィルムでシュリンク包装した。この３個パックのシリアル食品商品は、外面に新作映画の広告宣伝されている広告宣伝媒体１となった。図５の従来の集積包装容器１０では、３個パックの中央部の個包装体１Ａの広告宣伝のための広告宣伝表示部を目立たせることができないのに対して、本発明の広告宣伝媒体１では、中心部に置いた紙製容器の表面を通して広告宣伝商品を表示する文字、図形、記号、絵柄等からなる広告宣伝表示部４を目立たせることができた。
【産業上の利用可能性】
【００２９】
本発明の広告宣伝媒体において、個包装体内に充填包装する商品としては、例えば、菓子、キャンディー、果汁、酒、油、調味料等の飲食品、洗剤、歯磨き粉、その他等の日用品、雑貨品等の種々の商品を対象とすることができ、広告宣伝する商品としては、例えば、飲食品、日用品、雑貨品、テレビ、冷蔵庫、洗濯機、掃除機、パソコン、ゲーム機、オーディオ製品等の各種の電気製品、医薬品、ゴルフクラブ、サーカーボール、野球道具等の各種の運動用具等の種々の商品を対象とすることができる。
【図面の簡単な説明】
【００３０】
【図１】本発明にかかる広告宣伝媒体の形態の一実施例を示す斜視図である。
【図２】本発明にかかる広告宣伝媒体を構成する個包装体の一実施例を示す斜視図である。
【図３】本発明にかかる広告宣伝媒体を構成する集積包装容器の一実施例を示す斜視図である。
【図４】本発明にかかる集積包装容器の別の形状例を示す斜視図である。
【図５】従来の広告宣伝媒の形態の一実施例を示す斜視図である。
【符号の説明】
【００３１】
Ａ    広告宣伝媒体
１    個包装体
１Ａ  個包装体（広告宣伝表示部を設けた）
２    集積包装容器
２１    底面
２２    側壁
Ｘ    注視手段
Ｘ１  切り欠け部
Ｘ２  突起部
Ｘ３  窓部
３    商品情報表示部
４    広告宣伝表示部
Ｐ    表側
Ｑ    裏側
ａ    商品の商標名
ｂ    商品を表す絵柄
ｃ    商品の品名、中身、製造者、および販売者等を表す欄
ｘ    他の商品の商標名
ｙ    他の商品を表す絵柄
ｚ    他の商品の性能、製造者等を表示する欄
【図１】
2006285062.tif 000003
【図２】
2006285062.tif 000004
【図３】
2006285062.tif 000005
【図４】
2006285062.tif 000006
【図５】
2006285062.tif 000007